(57)【要約】【課題】  携帯機を紛失した場合に、ユーザーが従来よりも容易に見つけ出すことができる携帯機探索装置を提供する。【解決手段】  携帯キー（携帯機）１として、スマートキーシステム（ＳＭＡＲＴＫＥＹ  ＳＹＳＴＥＭ（登録商標））に用いられるキーのように、受信部２と送信部３とを有し、双方向通信が可能なものを用いる。携帯機探索装置４を、送信部５と、受信部６と、ＥＣＵ７と、ボリュームスイッチ８と、ブザー９とを有する構成とする。この携帯機探索装置４は、スマートキーシステムとは独立した別個の装置であり、持ち運びが可能なものである。そして、携帯キー１を探索する際では、携帯機探索装置４は、携帯キー１に対して送信要求信号を送信し、携帯キー１からの応答信号を受信した場合に、ブザー９を作動させることで、ユーザーに携帯キー１が検出領域内に存在することを報知する。【選択図】        図１
2005220728.tif 000002
【特許請求の範囲】
【請求項１】
送信部（３）と受信部（２）とを有する携帯機（１）に対して、送信要求信号を送信する送信手段（１１）と、
前記携帯機の前記受信部で前記送信要求信号を受信した場合に、前記送信要求信号に応答して、前記携帯機の前記送信部から送信される応答信号を、受信したか否か判定する判定手段（１３）と、
ユーザーに対して報知する報知手段（９）と、
前記判定手段で前記応答信号を受信したと判定した場合に、前記報知手段を作動させるための信号を、前記報知手段に出力する出力手段（１４）とを備えることを特徴とする携帯機探索装置。
【請求項２】
前記送信要求信号の出力レベルを変更する手段（８）を有していることを特徴とする請求項１に記載の携帯機探索装置。
【請求項３】
前記携帯機は、固有のＩＤコードを記憶しており、当該ＩＤコードを前記送信部（３）から送信することにより車載機器を制御する車両用の携帯キー（１）であることを特徴とする請求項１または２に記載の携帯機探索装置。
【発明の詳細な説明】
【技術分野】
【０００１】
本発明は、車両用の機械式キーや車載機器制御装置に用いられている携帯キー等の携帯機を紛失した場合に、その携帯機を探索する携帯機探索装置に関する。
【背景技術】
【０００２】
従来、携帯キーとの双方向通信によるＩＤコードの照合結果を基に、車載機器を制御する車載機器制御装置として、スマートキーシステム（ＳＭＡＲＴＫＥＹ  ＳＹＳＴＥＭ（登録商標））がある（例えば、特許文献１参照）。これは、車両に搭載された送信機、受信機およびスマートＥＣＵと、スマートキー（携帯機）とを有する構成であり、ユーザーがキーを取り出すことなく、ドアのロック、アンロック、エンジンのスタート、ステアリングロック解除、トランクのオープン等の操作を可能とするものである（例えば、特許文献１参照）。
【特許文献１】特開２０００−１０４４２９号公報
【発明の開示】
【発明が解決しようとする課題】
【０００３】
ところで、機械式キーやスマートキー等の携帯機を紛失した場合、ユーザーは手探りで携帯機を探して見つけるしかなかった。このため、携帯機を見つけ出すのが困難な場合が多い。
【０００４】
本発明は、上記点に鑑み、携帯機を紛失した場合に、ユーザーが従来よりも容易に見つけ出すことができる携帯機探索装置を提供することを目的とする。
【課題を解決するための手段】
【０００５】
上記目的を達成するため、請求項１に記載の発明では、送信部（３）と受信部（２）とを有する携帯機（１）に対して、送信要求信号を送信する送信手段（１１）と、携帯機の受信部で送信要求信号を受信した場合に、送信要求信号に応答して、携帯機の送信部から送信される応答信号を、受信したか否か判定する判定手段（１３）と、ユーザーに対して報知する報知手段（９）と、判定手段で応答信号を受信したと判定した場合に、報知手段を作動させるための信号を、報知手段に出力する出力手段（１４）とを備えることを特徴としている。
【０００６】
このように携帯機は送受信機能を有していることから、ユーザーが携帯機を紛失した場合、携帯機探索装置から送信要求信号を送信すると、携帯機探索装置の検出領域内に携帯機が存在していれば、その送信要求信号に対して携帯機が応答する。これにより、携帯機を紛失した場合であっても、本発明の携帯機探索装置を用いることで、ユーザーは携帯機を容易に見つけ出すことができる。
【０００７】
請求項２に記載の発明では、送信要求信号の出力レベルを変更する手段（８）を有していることを特徴としている。
【０００８】
これにより、携帯機探索装置における携帯機を検出できる検出領域を任意に調整することができる。したがって、携帯機を紛失した場合、例えば、ユーザーは、携帯機探索装置の検出領域を最も大きくして、携帯機を探す。そして、携帯機探索装置の報知手段により報知された場合、検出領域をさらに狭めて、報知手段が作動した領域内で携帯機を探す。これを繰り返すことで、ユーザーは携帯機の位置を特定することもできる。
【０００９】
携帯機としては、例えば、請求項３に示すように、固有のＩＤコードを送信することで車載機器を制御する車両用の携帯キーを用いることができる。
【００１０】
この車載機器として、例えば、スマートキーシステム（ＳＭＡＲＴＫＥＹ  ＳＹＳＴＥＭ（登録商標））がある。スマートキーシステムに用いられている携帯キーは、送受信機能を有しているので、携帯機として、それを利用することができる。
【００１１】
なお、上記各手段の括弧内の符号は、後述する実施形態に記載の具体的手段との対応関係を示す一例である。
【発明を実施するための最良の形態】
【００１２】
（第１実施形態）
図１に、本発明の一実施形態における携帯機探索装置の構成を示す。本実施形態では、車両に上記したスマートキーシステムが搭載されている場合を例として説明する。
【００１３】
スマートキーシステムは、背景技術の欄で説明したように、図示しないスマートＥＣＵと、送信機と、受信機と、図１に示す携帯機としての携帯キー１とを備えている。携帯キー１は、受信部２と送信部３とを有しており、スマートＥＣＵとの間で双方向通信を行うことで車載機器を制御するものである。
【００１４】
具体的には、スマートＥＣＵにより、車両に搭載されている送信機から送信要求信号が車両内外に送信される。携帯キー１には固有のＩＤコードを記憶されており、送信機から送信された送信要求信号が、携帯キー１の受信部２で受信されると、ＩＤコード信号が車両に搭載された受信機に向けて送信される。そして、このＩＤコード信号が、車両に搭載された受信機で受信されると、スマートＥＣＵがそのＩＤ信号の照合を行う。ＩＤコード照合が完了すると、機能に応じて車両に搭載されているドアＥＣＵ等の各ＥＣＵへ作動指示信号が送信されることで、車載機器が制御される。
【００１５】
本実施形態の携帯機探索装置４は、スマートキーシステムとは独立した別個の装置であり、持ち運びが可能なものである。また、この携帯機探索装置４は、後に説明するように、携帯キー１が有する双方向通信機能を利用して、携帯キー１を探索するものである。
【００１６】
具体的には、図１に示すように、携帯機探索装置４は、送信部５と、受信部６と、ＥＣＵ７と、ボリュームスイッチ８と、ブザー９とを備えている。ＥＣＵ７は、送信部５、受信部６、ボリュームスイッチ８およびブザー９と接続されている。
【００１７】
送信部５は、送信回路とアンテナとを有している。送信部５は、ＥＣＵ７からの信号を受けて、送信要求信号を、アンテナから携帯キー１に向けて出力する。この送信要求信号は、携帯キー１に対して携帯機探索装置４に向けて信号を送信するように要求する信号である。例えば、スマートキーシステムと同様に、携帯キー１に対してＩＤコード信号を送信するように要求する信号である。なお、送信部５は、無線通信のフォーマットが、スマートキーシステムにおける送信機と同じである。
【００１８】
また、送信部５は、送信要求信号の出力レベルを調整できるようになっている。この出力レベルとは、電波の強さを意味する。この出力レベルによって、送信部５から送信される送信要求信号が到達する距離１０が定まる。送信部５からこの送信要求信号が届く領域が、携帯機探索装置４が携帯キー１を検出できる検出領域である。この送信部５の出力レベルは、ユーザーがボリュームスイッチ８を所定のレベルに切り替えた場合、ＥＣＵ７から指示信号を送信部５が受信することで、変更される。なお、送信部５が、本発明の送信要求信号の出力レベルを変更する変更手段に相当する。
【００１９】
また、送信部５は、一定間隔で定期的に送信要求信号を送信するようになっている。
【００２０】
受信部６は、受信回路と、アンテナを有している。携帯キー１の受信部２が、携帯機探索装置４から送信された送信要求信号を受信すると、その送信要求信号に応答して、応答信号としてのＩＤコード信号を、携帯キー１の送信部３から送信する。受信部６は、そのＩＤコード信号を受信した場合、受信したＩＤコード信号をＥＣＵ７に送信するようになっている。
【００２１】
ＥＣＵ７は、送信部５、受信部６、ボリュームスイッチ８およびブザー９を制御する制御手段として用いられているものである。
【００２２】
ＥＣＵ７は、送信部５に対して、送信要求信号を送信するように、その旨の信号を出力する。また、ＥＣＵ７は、受信部６が携帯キー１から送信されたＩＤコード信号を受信したかどうかを判定するようになっている。このとき、ＥＣＵ７は、スマートＥＣＵのように、ＩＤコードの照合は行わない。
【００２３】
なお、例えば、複数の車両を所有しており、携帯キー１が複数存在する場合では、ＥＣＵ７がＩＤコード照合を行うようにすることもできる。この場合、ＥＣＵ７がＩＤコード照合を行えるように、携帯機探索装置４が有するメモリ部にあらかじめ携帯キー１のＩＤコードを記憶させておく。
【００２４】
ブザー９は、断続的もしくは連続的に音を出すものである。ブザー９は、ＥＣＵ７がＩＤコード信号を受信したと判定した場合であって、ＥＣＵ７から送信される作動指示信号を受信したときに、音が鳴るようになっている。例えば、ブザー９は、受信部６がＩＤコード信号を受信したときに、１回だけピッと音を出したり、ピーと音を出し続け、携帯キー１からのＩＤコード信号を受信しなくなったときに、音を出すのをやめるようにしたりすることもできる。
【００２５】
また、携帯機探索装置４は、電池等の電源部を有している。送信部５、受信部６、ＥＣＵ７およびブザー９は、この電源部より電源が供給されている。
【００２６】
次に、この携帯機探索装置４の作動を説明する。図２に、この携帯機探索装置４のＥＣＵ７が実行する携帯機探索処理のフローチャートを示す。ＥＣＵ７は、電源が入ることでこの処理の実行を開始し、電源が入っている状態では処理を実行し続け、電源が切れると、処理の実行を停止する。なお、以下のステップ１１、１３、１４のそれぞれが、本発明の送信要求信号を送信する送信手段、応答信号を受信したか否か判定する判定手段、報知手段に出力する出力手段に相当する。
【００２７】
まず、ステップ１１では、携帯機探索装置４の検出領域内に、携帯キー１が存在するかどうかを調査するために、送信部５に対して作動指示信号が出力される。この作動指示信号を受けて、送信部５が送信要求信号を携帯機探索装置４の外部に送信する。
【００２８】
そして、携帯キー１が携帯機探索装置４の検出領域内に存在すると、携帯キー１は送信要求信号に応答してＩＤコード信号を、受信部６に向けて送信する。ステップ１２では、携帯キー１から送信されたＩＤコード信号を、受信部６が受信し、受信部６からＩＤコード信号がＥＣＵ７に入力される。
【００２９】
ステップ１３では、受信部６がＩＤコード信号を受信したか否かを判定する。ここで、ステップ１２で、ＥＣＵ７に受信部６からＩＤコード信号が入力されると、受信部６がＩＤコード信号を受信したと判定し、ステップ１４に進む。
【００３０】
一方、ステップ１１で、送信要求信号が送信された場合であって、携帯キー１からのＩＤコード信号を受信部６が受信しなかった場合でも、ステップ１３に進む。しかし、この場合、ＥＣＵ７に受信部６からＩＤコード信号が入力されないので、受信部６がＩＤコード信号を受信していないと判定し、ステップ１１に戻る。
【００３１】
ステップ１４では、ブザー９に対して作動指示信号が出力される。これにより、ブザー９は、携帯キー１が所定の検出領域内に存在する旨を報知する。
【００３２】
続いて、ユーザーがこの携帯機探索装置４を用いて、携帯キー１を探索する方法を説明する。以下では、車室内において、右側の後部座席の足下に落ちている携帯キー１を探索する場合を例として説明する。
【００３３】
この携帯機探索装置４は、上述したように、ユーザーがボリュームスイッチ８を切り替えることで、出力レベルが所定のレベルに変更されるようになっている。この出力レベルによって、送信部５から送信される送信要求信号が到達する距離が定まることから、携帯機探索装置４が携帯キー１を検出することができる検出領域の大きさが決まる。
【００３４】
したがって、ボリュームスイッチ８を切り替えることで、携帯機探索装置４の検出領域の大きさを、例えば、車室内全域と同じ大きさ、車室内の前半分もしくは後ろ半分と同じ大きさ、座席１つ分の領域と同じ大きさというように段階的に変更することができる。
【００３５】
まず、検出領域の大きさを車室内全域と同じ大きさとして、携帯機探索装置４を車室内に置き、車室内に携帯キー１があるか調査する。この場合、車室内に携帯キー１が存在するので、携帯機探索装置４のブザー９が鳴る。これにより、ユーザーは車室内のどこかに携帯キー１が存在することがわかる。
【００３６】
次に、携帯キー１が存在する位置を特定するために、ユーザーは携帯機探索装置４のスイッチを切り替え、携帯機探索装置４の検出領域を車室内半分の大きさに設定する。そして、ユーザーは、この携帯機探索装置４を車室内のフロント側に置き、フロント側に携帯キー１が存在するか調査する。この場合、携帯キー１は車室内のフロント側に存在しないのでブザー９は鳴らない。これにより、ユーザーはフロント側に携帯キー１が存在しないことがわかる。
【００３７】
続いて、ユーザーは、携帯機探索装置４を後部座席に移動させ、車室内の後部座席側に携帯キー１が存在するか調査する。この場合、携帯キー１は後部座席側に位置するのでブザー９が鳴る。これにより、ユーザーは携帯キー１が後部座席近傍に存在することがわかる。
【００３８】
さらに、後部座席のどのあたりに携帯キー１が位置するかを特定するために、ユーザーは、携帯機探索装置４のスイッチを切り替え、携帯機探索装置４の検出領域の大きさを座席１つ分の領域に設定する。そして、ユーザーは、この状態の携帯機探索装置４を、右側後部座席に置き、携帯キー１がこの近傍に位置するか調査する。この場合、携帯キー１は右側の後部座席の足下に落ちているので、ブザー９が鳴る。これにより、ユーザーは右側の後部座席の近傍に携帯キー１が位置することを特定することができる。そこで、ユーザーは、右側の後部座席近傍を調べることで、携帯キー１を見つけることができる。
【００３９】
以上説明したように、本実施形態の携帯機探索装置４は、スマートキーシステムに用いられる携帯キー１が有する送受信機能を利用したものである。すなわち、携帯機探索装置４は、ステップ１１で、送信要求信号を出力する。そして、携帯キー１が携帯機探索装置４の検出領域内に存在する場合、携帯キー１は、この送信要求信号に応答して、ＩＤコード信号を携帯機探索装置４に向けて送信する。ステップ１２では、携帯キー１から送信されたＩＤコード信号が、携帯機探索装置４の受信部６で受信され、受信部６からＥＣＵ７に入力される。その後、ステップ１３で、携帯キー１からのＩＤ信号を受信したと判定し、ブザー９が作動する。
【００４０】
これにより、携帯キー１を紛失した場合であっても、本発明の携帯機探索装置４を用いることで、ユーザーは携帯キー１を容易に見つけ出すことができる。
【００４１】
また、本実施形態の携帯機探索装置４では、送信部５は送信要求信号の出力レベルを調整できるようになっている。
【００４２】
これにより、携帯機探索装置４における携帯キー１を検出できる検出領域を任意に調整することができる。したがって、車室内で携帯キー１を紛失した場合、上述したように、ユーザーは、携帯機探索装置４の検出領域を車室内全域と同じ大きさとして、携帯キー１を探す。そして、ブザー９により報知された場合、車室内の半分の大きさ、座席１つ分の領域と同じ大きさと、順に検出領域を狭めて、ブザー９が作動した領域内で、繰り返し携帯キー１を探す。これにより、ユーザーは携帯キー１の位置を特定することもできる。
【００４３】
なお、本実施形態では、検出領域の大きさを段階的に小さくする場合を説明したが、段階的に大きくして、携帯キー１を探索することもできる。  
【００４４】
また、本実施形態では、車室内に携帯キー１が存在する場合を例として説明したが、携帯機探索装置４は、持ち運びが可能であることから、家の中で携帯キー１を紛失した場合においても、上述した方法と同様の方法により、携帯キー１の探索を行うこともできる。
【００４５】
また、本実施形態では、車両が車載機器制御装置として、スマートキーシステムを搭載している場合を例として説明したが、スマートキーシステムに限らず、携帯キー１が送受信機能を有している場合であれば、本発明を適用することができる。例えば、スマートキーシステムを搭載していない車両では、機械式キー等に受信部２および送信部３を設け、送受信機能を備えさせることで、本発明を適用することもできる。
【００４６】
（他の実施形態）
なお、上記した実施形態では、携帯機探索装置４をスマートキーシステムと別個の装置とする場合を例として説明したが、スマートＥＣＵに本発明を適用することもできる。すなわち、ブザー９をスマートＥＣＵと接続し、スマートＥＣＵに携帯キー１の探索モードを設定する。そして、スマートＥＣＵに携帯機探索装置４のＥＣＵ７と同様の制御を行わせることもできる。
【００４７】
この場合においても、スマートＥＣＵは、受信部が携帯キー１から送信されたＩＤコード信号を受信したか否かについて判定し、ＩＤコード信号を受信したと判定した場合にブザー９を作動させる。このとき、車載機器の制御と同様に、スマートＥＣＵはＩＤコード照合を行い、照合がＯＫの場合に、ブザー９を作動させるようにすることもできる。
【図面の簡単な説明】
【００４８】
【図１】本発明の第１実施形態における携帯機探索装置の構成を示す図である。
【図２】図１の携帯機探索装置４のＥＣＵ７が実行する携帯機探索処理のフローチャートである。
【符号の説明】
【００４９】
１…携帯キー、２…携帯キー１の受信部、３…携帯キー１の送信部、
４…携帯機探索装置、５…送信部、６…受信部、７…ＥＣＵ、
８…ボリュームスイッチ、９…ブザー。
【図１】
2005220728.tif 000003
【図２】
2005220728.tif 000004